【手続補正書】
【提出日】平成24年4月25日(2012.4.25)
【手続補正１】
【補正対象書類名】明細書
【補正対象項目名】００１０
【補正方法】変更
【補正の内容】
【００１０】
請求項１記載の発明は、センサとタイマを備え、設定モードと案内モードを有するスケジュール管理装置において、前記設定モードのときに、時刻情報と位置情報を含むスケジュールデータを設定する設定手段と、前記案内モードのときに、前記センサとタイマにより当該装置の現在位置と現在時刻を取得する取得手段と、前記取得手段により取得された現在位置及び現在時刻と、前記設定されたスケジュールデータの位置情報と時刻情報とを比較して、ずれ量を算出する算出手段と、前記算出手段により算出された前記ずれ量が所定値範囲より大きいか否かを判断する判断手段と、前記判断手段により前記ずれ量が所定範囲より大きいと判断されたときに、所定のずれ対応処理を行う処理手段とを具備したことを特徴とするスケジュール管理装置を提供するものである。
【手続補正２】
【補正対象書類名】明細書
【補正対象項目名】００１１
【補正方法】変更
【補正の内容】
【００１１】
請求項２記載の発明は、前記算出手段は、前記取得手段により取得された現在位置及び現在時刻と、前記設定されたスケジュールデータの位置情報と時刻情報と比較して、所定位置における現在時刻とスケジュールデータの時刻情報とのずれ量を算出し、前記判断手段は、前記算出手段により所定位置における現在時刻と前記スケジュールデータで設定されている時刻情報とのずれ量が所定値範囲より大きいか否かを判断することを特徴とする請求項１記載のスケジュール管理装置を提供するものである。
【手続補正３】
【補正対象書類名】明細書
【補正対象項目名】００１２
【補正方法】変更
【補正の内容】
【００１２】
請求項３記載の発明は、前記算出手段は、前記取得手段により取得された現在位置及び現在時刻と、前記設定されたスケジュールデータの位置情報と時刻情報と比較して、所定時刻における現在位置とスケジュールデータの位置情報とのずれ量を算出し、前記判断手段は、前記算出手段により所定時刻における現在時刻と前記スケジュールデータで設定されている位置情報とが所定値範囲より大きいか否かを判断することを特徴とする請求項１記載のスケジュール管理装置を提供するものである。
【手続補正４】
【補正対象書類名】明細書
【補正対象項目名】００１３
【補正方法】変更
【補正の内容】
【００１３】
請求項４記載の発明は、前記スケジュールデータは、重要度の異なる複数のスケジュールデータを含み、前記判断手段により前記ずれ量が所定範囲より大きいと判断されたときに、前記処理手段は、前記重要度の低いスケジュールデータを削除するスケジュール削除手段を含むことを特徴とする請求項１乃至３いずれか記載のスケジュール管理装置を提供するものである。
【手続補正５】
【補正対象書類名】明細書
【補正対象項目名】００１４
【補正方法】変更
【補正の内容】
【００１４】
請求項５記載の発明は、センサとタイマを備え、設定モードと案内モードを有するスケジュール管理装置のコンピュータを、前記設定モードのときに、時刻情報と位置情報を含むスケジュールデータを設定する設定手段、前記案内モードのときに、前記センサとタイマにより当該装置の現在位置と現在時刻を取得する取得手段、前記取得手段により取得された現在位置及び現在時刻と、前記設定されたスケジュールデータの位置情報と時刻情報と比較して、所定位置における現在時刻とスケジュールデータの時刻情報とのずれ量を算出する算出手段、前記算出手段により、所定位置における現在時刻と前記スケジュールデータで設定されている時刻情報とのずれ量が所定値範囲より大きいか否かを判断する判断手段、前記判断手段により前記ずれ量が所定範囲より大きいと判断されたときに、所定のずれ対応処理を行う処理手段として機能させることを特徴とするスケジュール管理プログラムを提供するものである。
【手続補正６】
【補正対象書類名】明細書
【補正対象項目名】００１５
【補正方法】変更
【補正の内容】
【００１５】
請求項６記載の発明は、センサとタイマを備え、設定モードと案内モードを有するスケジュール管理装置のコンピュータを、前記設定モードのときに、時刻情報と位置情報を含むスケジュールデータを設定する設定手段、前記案内モードのときに、前記センサとタイマにより当該装置の現在位置と現在時刻を取得する取得手段、前記取得手段により取得された現在位置及び現在時刻と、前記設定されたスケジュールデータの位置情報と時刻情報と比較して、所定時刻における現在位置とスケジュールデータの位置情報とのずれ量を算出する算出手段、前記算出手段により、所定時刻における現在時刻と前記スケジュールデータで設定されている位置情報とが所定値範囲より大きいか否かを判断する判断手段、前記判断手段により前記ずれ量が所定範囲より大きいと判断されたときに、所定のずれ対応処理を行う処理手段として機能させることを特徴とするスケジュール管理プログラムを提供するものである。
【手続補正７】
【補正対象書類名】明細書
【補正対象項目名】００１６
【補正方法】削除
【補正の内容】
【手続補正８】
【補正対象書類名】特許請求の範囲
【補正対象項目名】全文
【補正方法】変更
【補正の内容】
【特許請求の範囲】
【請求項１】
センサとタイマを備え、設定モードと案内モードを有するスケジュール管理装置において、
前記設定モードのときに、時刻情報と位置情報を含むスケジュールデータを設定する設定手段と、
前記案内モードのときに、前記センサとタイマにより当該装置の現在位置と現在時刻を取得する取得手段と、
前記取得手段により取得された現在位置及び現在時刻と、前記設定されたスケジュールデータの位置情報と時刻情報とを比較して、ずれ量を算出する算出手段と、
前記算出手段により算出された前記ずれ量が所定値範囲より大きいか否かを判断する判断手段と、
前記判断手段により前記ずれ量が所定範囲より大きいと判断されたときに、所定のずれ対応処理を行う処理手段と
を具備したことを特徴とするスケジュール管理装置。
【請求項２】
前記算出手段は、前記取得手段により取得された現在位置及び現在時刻と、前記設定されたスケジュールデータの位置情報と時刻情報と比較して、所定位置における現在時刻とスケジュールデータの時刻情報とのずれ量を算出し、
前記判断手段は、前記算出手段により所定位置における現在時刻と前記スケジュールデータで設定されている時刻情報とのずれ量が所定値範囲より大きいか否かを判断する
ことを特徴とする請求項１記載のスケジュール管理装置。
【請求項３】
前記算出手段は、前記取得手段により取得された現在位置及び現在時刻と、前記設定されたスケジュールデータの位置情報と時刻情報と比較して、所定時刻における現在位置とスケジュールデータの位置情報とのずれ量を算出し、
前記判断手段は、前記算出手段により所定時刻における現在時刻と前記スケジュールデータで設定されている位置情報とが所定値範囲より大きいか否かを判断することを特徴とする請求項１記載のスケジュール管理装置。
【請求項４】
前記スケジュールデータは、重要度の異なる複数のスケジュールデータを含み、
前記判断手段により前記ずれ量が所定範囲より大きいと判断されたときに、前記処理手段は、前記重要度の低いスケジュールデータを削除するスケジュール削除手段を含むことを特徴とする請求項１乃至３いずれか記載のスケジュール管理装置。
【請求項５】
センサとタイマを備え、設定モードと案内モードを有するスケジュール管理装置のコンピュータを、
前記設定モードのときに、時刻情報と位置情報を含むスケジュールデータを設定する設定手段、
前記案内モードのときに、前記センサとタイマにより当該装置の現在位置と現在時刻を取得する取得手段、
前記取得手段により取得された現在位置及び現在時刻と、前記設定されたスケジュールデータの位置情報と時刻情報と比較して、所定位置における現在時刻とスケジュールデータの時刻情報とのずれ量を算出する算出手段、
前記算出手段により、所定位置における現在時刻と前記スケジュールデータで設定されている時刻情報とのずれ量が所定値範囲より大きいか否かを判断する判断手段、
前記判断手段により前記ずれ量が所定範囲より大きいと判断されたときに、所定のずれ対応処理を行う処理手段
として機能させることを特徴とするスケジュール管理プログラム。
【請求項６】
センサとタイマを備え、設定モードと案内モードを有するスケジュール管理装置のコンピュータを、
前記設定モードのときに、時刻情報と位置情報を含むスケジュールデータを設定する設定手段、
前記案内モードのときに、前記センサとタイマにより当該装置の現在位置と現在時刻を取得する取得手段、
前記取得手段により取得された現在位置及び現在時刻と、前記設定されたスケジュールデータの位置情報と時刻情報と比較して、所定時刻における現在位置とスケジュールデータの位置情報とのずれ量を算出する算出手段、
前記算出手段により、所定時刻における現在時刻と前記スケジュールデータで設定されている位置情報とが所定値範囲より大きいか否かを判断する判断手段、
前記判断手段により前記ずれ量が所定範囲より大きいと判断されたときに、所定のずれ対応処理を行う処理手段
として機能させることを特徴とするスケジュール管理プログラム。